(57)【要約】【課題】構内無線システムにおいて、ＣＯＴ外線指定発信特番とその特番時に捕捉するＣＯＴ回線をグループ化することにより、ＣＯＴ基板経由で上位ＰＢＸに接続する場合に、輻輳による回線捕捉失敗をほとんど無くし、少ない番号計画にすることができる手段を提供する。【解決手段】主制御装置３００に含まれるＭＣＰパッケージ３００−１は１または２以上のＣＯＴ外線指定発信特番を一つのグループとして取り扱う。発呼端末から一つのＣＯＴ外線指定発信特番が通知されるとＭＣＰパッケージ３００−１は通知されたＣＯＴ外線指定発信特番が属するグループを検索し、該グループに属するＣＯＴ外線指定発信特番のうちあいているものを用いて上位ＰＢＸに接続する。【選択図】図２
2012191494.tif 000002
【特許請求の範囲】
【請求項１】
外部との回線毎に割り振られる１又は２以上のＣＯＴ外線指定発信特番を含むグループを取り扱うＣＯＴパッケージと、ＭＣＰパッケージと、を含み、
前記グループに含まれる前記ＣＯＴ外線指定発信特番のいずれか１が発呼端末から送信された場合、前記ＭＣＰパッケージは前記グループに含まれる未使用のＣＯＴ回線のいずれかを用いて外部との接続を行う構内無線システム。
【発明の詳細な説明】
【技術分野】
【０００１】
本発明はパーソナルハンディフォンシステム（Ｐｅｒｓｏｎａｌ  Ｈａｎｄｙ  Ｐｈｏｎｅ  Ｓｙｓｔｅｍ：以下ＰＨＳ）での内線網構築、特にＣＯＴ外線発信特番で選択するＣＯＴ回線をグループ化し、上位構内交換機（Ｐｒｉｖａｔｅ  Ｂｅｎｃｈ  ｅＸｃｈａｎｇｅ：以下ＰＢＸ）との接続時にそのグループから空き回線を捕捉する機能に関する。
【背景技術】
【０００２】
従来のＣＯＴ外線指定発信機能は、ＣＯＴ外線指定発信特番に一つのＣＯＴ回線を対応付ける。このため、その回線が使用中であった場合、再接続操作により他のＣＯＴ外線指定発信特番を押下して発信する必要が出てくる。この際、発信者は上位ＰＢＸに接続するためのＣＯＴ外線指定発信特番を多数知っている必要があった。
【０００３】
特開平４−１０４６９６号公報（特許文献１）には、構内交換システムの発着制御方式において、同一の内線グループに所属する端末器における局線ボタンの設定を同一にすることにより、内線グループ毎に局線グループ対応の局線ボタンの設定を行う内容が開示されている。
【先行技術文献】
【特許文献】
【０００４】
【特許文献１】特開平４−１０４６９６号公報
【発明の概要】
【発明が解決しようとする課題】
【０００５】
しかし、ＣＯＴ外線指定発信機能の実際の運用面では、問題が大きい。
【０００６】
図１は従来のＣＯＴ外線指定発信が不通のときの状況を説明するための概念図である。この図１のようにＣＯＴ外線指定発信特番１Ａが接続不能となっている場合のことを考える。
【０００７】
このシステムでは主制御装置１００中にＣＯＴパッケージ１００−１、ＭＣＰパッケージ１００−２、ＢＳＩＦパッケージ１００−３を含む。
【０００８】
ＣＯＴパッケージ１００−１は、Ｃｅｎｔｒａｌ  Ｏｆｆｉｃｅ  Ｔｒａｎｓの略であり、加入者電話回線等のインターフェースをつかさどる基板である。
【０００９】
ＭＣＰパッケージ１００−２は、Ｍａｉｎ  Ｃｏｎｔｒｏｌ  Ｐａｃｋａｇｅの略であり、制御装置に実装され通信制御及び通話の交換制御をつかさどるパッケージである。
【００１０】
ＢＳＩＦパッケージ１００−３は、Ｂａｓｅ  Ｓｔａｔｉｏｎ  Ｉｎｔｅｒｆａｃｅの略であり、ＭＣＰパッケージ１００−２と無線基地局１０５の間の通信制御をつかさどるパッケージである。
【００１１】
ＣＯＴ外線指定発信特番１Ａが接続不能となっている場合に操作者は、上位ＰＢＸ＃１に接続するＣＯＴ外線指定発信特番が他に存在するかを認識している必要がある。本図上では、ＣＯＴ外線指定発信特番１Ｂ、１Ｃ、１Ｄが存在する。これらが存在すること自体を操作者は認識しておく必要がある。
【００１２】
また、当該ＣＯＴ回線が故障していた場合や、予備のＣＯＴ外線指定発信特番が存在しない場合には、その特番ではまったく上位ＰＢＸに接続しなくなってしまう問題があった。
【００１３】
本発明の目的は、構内無線システムにおいて、ＣＯＴ外線指定発信特番とその特番時に捕捉するＣＯＴ回線をグループ化することにより、ＣＯＴ基板経由で上位ＰＢＸに接続する場合に、輻輳による回線捕捉失敗をほとんど無くし、少ない番号計画にすることができる手段を提供することにある。
【００１４】
本発明の前記並びにその他の目的と新規な特徴は、本明細書の記述及び添付図面から明らかになるであろう。
【課題を解決するための手段】
【００１５】
本願において開示される発明のうち、代表的なものの概要を簡単に説明すれば、次の通りである。
【００１６】
本発明の代表的な実施の形態に関わる構内無線システムは、外部との回線毎に割り振られる１又は２以上のＣＯＴ外線指定発信特番を含むグループを取り扱うＣＯＴパッケージを含み、このグループに含まれるＣＯＴ外線指定発信特番のいずれか１が発呼端末から送信された場合、ＭＣＰパッケージはこのグループに含まれる未使用のＣＯＴ回線のいずれかを用いて外部との接続を行うことを特徴とする。
【発明の効果】
【００１７】
本発明に関わる構内無線システムを用いる事で、ＣＯＴ基板経由で上位ＰＢＸに接続する場合、輻輳による回線捕捉失敗をほとんど無くすことが可能となる。
【００１８】
また、本発明に関わる構内無線システムを用いる事で、端末の操作者がＣＯＴ外線指定発信番号を複数記憶する必要が無くなる。
【図面の簡単な説明】
【００１９】
【図１】従来のＣＯＴ外線指定発信が不通のときの状況を説明するための概念図である。
【図２】本発明に関わる構内無線システムの構成を表す構成図である。
【図３】従来の処理を表すフローチャートである。
【図４】本発明に関わる処理を表すフローチャートである。
【図５】本発明に関わる上記図３及び図４の動作をハードウェア構成図に当てはめた概念図である。
【発明を実施するための形態】
【００２０】
以下の実施の形態においては、便宜上その必要があるときは、複数のセクションまたは実施の形態に分割して説明する。しかし、特に明示した場合を除き、それは互いに無関係なものではなく、一方は他方の一部又は全部の変形例、詳細、補足説明などの関係にある。また、以下の実施の形態において、要素の数など（個数、数値、量、範囲などを含む）に言及する場合、特に明示した場合及び原理的に明らかに特定の数に限定される場合などを除き、その特定の数に限定されるものでなく、特定の数以上でも以下でも良い。
【００２１】
以下、図を用いて本発明の実施の形態を説明する。
【００２２】
図２は、本発明に関わる構内無線システムの構成を表す構成図である。
【００２３】
この構内無線システムは、主制御装置３００、ＰＨＳ位置表示端末３０１、サーバ３０２、電話端末３０３ｎ、保守コンソール３０４、無線基地局３０５ｎ、ＰＨＳ端末３０６ｎ、必要に応じてデータ端末３０７を含んで構成される。なお、上記の番号で「ｎ」が付いている構成要素は、複数のものが並存する可能性があるものを表す。図上では別個の物であることを表す目的で、「ｎ」の代わりに「ａ」「ｂ」「ｃ」などのアルファベットを使用している。
【００２４】
主制御装置３００は、本構内無線システムの制御を行う制御装置である。本発明における主制御装置３００は、ＣＯＴ（Ｃｅｎｔｒａｌ  Ｏｆｆｉｃｅ  Ｔｒｕｎｋ）パッケージを含む。
【００２５】
本発明におけるＣＯＴパッケージ３００−１は、ＣＯＴ回線をグループに分けて管理する点に特徴がある。あるグループに属するＣＯＴ回線が切断されている場合には、ＣＯＴパッケージ３００−１は同じグループに属するＣＯＴ回線のうち若い番号から空き回線を捜索する。そして空き回線が見つかったら、ＣＯＴパッケージ３００−１はＣＯＴ外線指定発信特番としてその空き回線を利用する。
【００２６】
ＰＨＳ位置表示端末３０１は回線を保持するＰＨＳ端末３０６ｎがどの無線基地局３０５ｎと接続しているかを表示するパーソナルコンピュータ等である。
【００２７】
サーバ３０２は、データ端末３０７とのデータ通信を行うサーバである。
【００２８】
電話端末３０３ｎは、主制御装置３００に接続された固定系の電話機である。  保守コンソール３０４は、主制御装置３００の保守を行うための端末である。
【００２９】
無線基地局３０５ｎは、ＰＨＳ端末３０６ｎの接続先となる無線通信用基地局である。
【００３０】
次に、このシステムの動作についてフローチャートを用いて説明する。
【００３１】
図３は、従来の処理を表すフローチャートである。また、図４は、本発明に関わる処理を表すフローチャートである。
【００３２】
まず、従来の処理について説明する。
【００３３】
ＰＨＳ端末３０６ｎまたは電話端末３０３ｎ（発呼端末）から主制御装置３００に対して、ＣＯＴ外線へのＣＯＴ外線指定発信特番による発信を行おうとした際、ＰＨＳ端末３０６ｎ等から送信されるＣＯＴ外線指定発信特番用に設定された回線を検索する（ステップＳ３００１）。
【００３４】
ステップＳ３００１で検索されたＣＯＴ外線指定発信特番用に設定された回線が使用中の場合には（ステップＳ３００２：Ｙｅｓ）、ＣＯＴパッケージ３００−１は発信元のＰＨＳ端末３０６ｎ等に回線使用中であることを通知する（ステップＳ３００４）。
【００３５】
一方、ステップＳ３００１で検索されたＣＯＴ外線指定発信特番用に設定された回線が使用中でない場合には（ステップＳ３００２：Ｎｏ）、ＣＯＴパッケージ３００−１は設定されたＣＯＴ外線指定発信特番でＣＯＴ外線を捕捉し、上位ＰＢＸに接続する。
【００３６】
これに対して、本発明では以下のように処理される。
【００３７】
ＰＨＳ端末３０６ｎまたは電話端末３０３ｎから主制御装置３００に対して、ＣＯＴ外線へのＣＯＴ外線指定発信特番による発信を行おうとした際、ＣＯＴパッケージ３００−１は指示されたＣＯＴ外線指定発信特番の含まれるグループを導出する（ステップＳ４００１）。グループが導出できた後、ＣＯＴパッケージ３００−１は該グループに属するＣＯＴ外線指定発信特番が全て検出済みか確認する（ステップＳ４００２）。
【００３８】
該グループに属する未検出ＣＯＴ外線指定発信特番がある場合（ステップＳ４００２：Ｎｏ）、ＣＯＴパッケージ３００−１はＣＯＴ外線指定発信特番として利用可能な回線を自動的に検索する（ステップＳ４００３）。この際、ＣＯＴパッケージ３００−１は該グループに属するＣＯＴ外線指定発信特番の回線番号の若い順に空き回線を検索する。
【００３９】
なお、最初に検索する対象としてＰＨＳ端末３０６ｎ等から伝達されたＣＯＴ外線指定発信特番を用いても良い。またＰＨＳ端末３０６ｎ等から伝達されたＣＯＴ外線指定発信特番に拘らず、ＣＯＴパッケージ３００−１は該グループの番号の若い順に検索しても良い。
【００４０】
ＣＯＴパッケージ３００−１は検索した番号が使用中か否かを判定する（ステップＳ４００４）。使用中で無い場合（ステップＳ４００４：Ｎｏ）、ＣＯＴパッケージ３００−１は検索されたＣＯＴ外線指定発信特番でＣＯＴ外線を捕捉し、上位ＰＢＸに接続する（ステップＳ４００５）。
【００４１】
使用中の場合（ステップＳ４００４：Ｙｅｓ）、再度ステップＳ４００２から処理をやり直すこととなる。
【００４２】
一方、該グループに属する未検出ＣＯＴ外線指定発信特番がない場合（ステップＳ４００２：Ｙｅｓ）、ＣＯＴパッケージ３００−１は発信元のＰＨＳ端末３０６ｎ等に回線使用中であることを通知する（ステップＳ４００６）。
【００４３】
最後に、図５について説明する。図５は、本発明に関わる上記図２及び図３の動作をハードウェア構成図に当てはめた概念図である。
【００４４】
ＰＨＳ端末３０６から無線基地局３０５に発呼があった場合、ＢＳＩＦパッケージ３００−３経由で初呼の存在及び該初呼に含まれる特番がＭＣＰパッケージ３００−２に送信される（図５＃１）。ＭＣＰパッケージ３００−２は、受け取った特番がＣＯＴ外線指定発信特番に当たるかを判定する。
【００４５】
受け取った特番がＣＯＴ外線指定発信特番に当たる場合には、上位ＰＢＸ＃２  ７００ｂに接続するためのグループＧ２での接続をＭＣＰパッケージ３００−２はＣＯＴパッケージ３００−１に対して指示する（図５＃２）。
【００４６】
ＣＯＴパッケージ３００−１は該グループＧ２内の空き回線を探索し、空きがあるようであれば、その旨をＭＣＰパッケージ３００−２に報告する（図５＃３）。この際、ＣＯＴパッケージはグループＧ２内の小さい番号から順番に探す、大きい番号から探すなど、各種の探索方法を採用することが可能である。
【００４７】
ＭＣＰパッケージ３００−２は、報告を受けた空き回線を用いて外線と接続するようにＣＯＴパッケージ３００−１に対して指示する（図５＃４）。ＣＯＴパッケージ３００−１は上記＃４の指示に従って、公衆網８００との接続を確立する（図５＃５）。
【００４８】
以上のような処理を行うことで、ＣＯＴ基板経由で上位ＰＢＸに接続する場合に、輻輳による回線捕捉失敗をほとんど無くすことができ、使い勝手の向上が図れる。
【００４９】
またＰＨＳ端末３０６ｎ等の操作者がＣＯＴ外線指定発信特番を記憶する必要が無く、少ない番号計画にすることが可能となる。
【００５０】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００５１】
上記ではパーソナルハンディフォンシステム（Ｐｅｒｓｏｎａｌ  Ｈａｎｄｙ  Ｐｈｏｎｅ  Ｓｙｓｔｅｍ：以下ＰＨＳ）での内線網構築について説明したが、これに拘るものではない。本発明は、Ｗ−ＣＤＭＡ対応端末で実現する内線網構築技術（無線ＬＡＮなどを用いたもの）のほか有線接続を利用した内線網構築にも適用可能である。
【符号の説明】
【００５２】
１００、３００…主制御装置、
１００−１、３００−１…ＣＯＴパッケージ、１００−２…ＭＣＰパッケージ、
１００−３…ＢＳＩＦパッケージ、
３０１…ＰＨＳ位置表示端末、３０２…サーバ、３０３ｎ…電話端末、
３０４…保守コンソール、１０５、３０５ｎ…無線基地局、
１０６、３０６ｎ…ＰＨＳ端末、７００ａ、７００ｂ…上位ＰＢＸ、８００…公衆網。
【図１】
2012191494.tif 000003
【図２】
2012191494.tif 000004
【図３】
2012191494.tif 000005
【図４】
2012191494.tif 000006
【図５】
2012191494.tif 000007